(57)【要約】【課題】電子機器装置において、表示ユニットの回動角度を検出する構成を低コストで実現すると共に、表示ユニットの回動角度を検出する構成の設計の自由度を高くし、かつ、デザイン性を優れたものにし、さらに、表示ユニットの回動角度を検出するための部材が破損し難いようにする。【解決手段】電子機器装置である光ディスク再生装置１は、表示ユニット３がヒンジユニット４を介して本体ユニット２に取付けられている。表示ユニット３は、検出スイッチ３４及び伝達レバー３５を備え、ヒンジカバー５は、レバー駆動部５１を有する。伝達レバー３５は、表示ユニット３が本体ユニット２に対して第１の回動中心軸Ｃ１の軸回りに回動するとき、レバー駆動部５１により駆動されて、検出スイッチ３４を切り換える。伝達レバー３５は、レバー駆動部５１が伝達レバー３５の表面上を摺動しながら伝達レバー３５を押圧することにより、レバー駆動部５１により駆動される。【選択図】図３
2012003791.tif 000002
【特許請求の範囲】
【請求項１】
画像を表示するための表示ユニットがヒンジユニットを介して本体ユニットに取付けら
れた電子機器装置において、
前記ヒンジユニットは、前記表示ユニットに結合される表示側結合部と、前記本体ユニ
ットに結合される本体側結合部と、前記表示側結合部と前記本体側結合部とを回動可能に
連結したヒンジ機構部とを有し、
前記ヒンジ機構部を覆うヒンジカバーと、
前記表示ユニットの回動角度を検出するための検出スイッチと、
前記検出スイッチを切り換えるための伝達レバーとを備え、
前記検出スイッチ及び前記伝達レバーは、前記表示ユニットの内部に設けられており、
前記ヒンジカバーは、前記伝達レバーを駆動するためのレバー駆動部を有し、
前記レバー駆動部は、前記表示ユニットの内部に延伸されており、
前記表示ユニットは、前記本体ユニットに対して回動するとき、前記レバー駆動部に対
して回動し、
前記伝達レバーは、前記表示ユニットが前記本体ユニットに対して回動するときに、前
記表示ユニットと共に前記レバー駆動部に対して回動し、このレバー駆動部に対する回動
に伴って、前記レバー駆動部に押圧されて駆動されて、前記検出スイッチを切り換え、
前記伝達レバーが前記レバー駆動部に押圧されて駆動されるとき、前記レバー駆動部が
前記伝達レバーの表面上を摺動しながら前記伝達レバーを押圧することにより、前記伝達
レバーが前記レバー駆動部に押圧されて駆動される、
ことを特徴とする電子機器装置。
【請求項２】
前記伝達レバーは、前記表示ユニットの回動中心軸に垂直な方向に移動可能に支持され
ていると共に、該伝達レバーの移動可能な方向に垂直な被押圧面を有し、
前記伝達レバーが前記レバー駆動部に押圧されて駆動されるとき、前記レバー駆動部が
前記伝達レバーの被押圧面上のみを摺動しながら前記伝達レバーを押圧することにより、
前記伝達レバーが前記レバー駆動部に押圧されて駆動される、
ことを特徴とする請求項１に記載の電子機器装置。
【請求項３】
前記本体ユニットは、光ディスクから記録データを読取る光ディスク読取ユニットを備
え、
前記表示ユニットは、前記光ディスク読取ユニットにより光ディスクから読取った記録
データに基く画像を表示する、
ことを特徴とする請求項１又は請求項２に記載の電子機器装置。
【発明の詳細な説明】
【技術分野】
【０００１】
本発明は、画像を表示する機能を備える電子機器装置に関するものである。
【背景技術】
【０００２】
従来から、画像を表示する機能を備える電子機器装置において、画像を表示するための
表示ユニットがヒンジユニットを介して本体ユニットに取付けられ、表示ユニットが本体
ユニットに対して回動可能になっているものがある。ヒンジユニットは、表示ユニットに
結合される表示側結合部と、本体ユニットに結合される本体側結合部とが、ヒンジ機構部
によって相対的に回動可能に連結されており、ヒンジ機構部の表示ユニットと本体ユニッ
トの両方の外部に位置する部分がヒンジカバーによって覆われている。このような電子機
器装置には、表示ユニットの回動角度（表示ユニットを閉じた状態であるか否か）を検出
する機能を有するものがある。
【０００３】
一方、開閉検知スイッチを押圧する摺動部材を筐体内に設け、筐体片に形成された突部が筐体に形成された開口部に挿入されたときに、摺動部材が突部により押圧されて摺動してスイッチを押圧するようにした電子機器装置が知られている（例えば特許文献１参照）。また、ヒンジユニットの回動軸部材にカム部を一体的に形成すると共に、本体ユニット内にスイッチを配置して、表示ユニットを閉じた状態にされたときに、カム部がスイッチを押すようにした電子機器装置が知られている（例えば特許文献２参照）。また、表示器の開閉状態によりプッシュスイッチを押圧するようにした電子機器装置が知られている（例えば特許文献３参照）。また、回動軸の一端に設けられた検出部と、回動軸の回動に伴って変位する検出部によって作動される検出素子とによって、回動軸を介して開閉可能に設けられた蓋体の開閉位置を検出するようにした電子機器装置が知られている（例えば特許文献４参照）。また、蓋側に設けられた可動接点と本体側に設けられた固定接点との接離に応じて、蓋の開閉を検知するようにした電子機器装置が知られている（例えば特許文献５参照）。また、マグネットやホール素子を用いた非接触式のセンサによって、表示ユニットの回動角度を検出するようにした電子機器装置も知られている。
【先行技術文献】
【特許文献】
【０００４】
【特許文献１】特開２００８−２１１５２０号公報
【特許文献２】特開平１０−２６８９７１号公報
【特許文献３】特開平１１−８５３２０号公報
【特許文献４】特開２００２−２８８９７４号公報
【特許文献５】特開２００３−９２０４３号公報
【発明の概要】
【発明が解決しようとする課題】
【０００５】
ところで、ヒンジカバーに形成した突起や、ヒンジユニットの回動軸部材に形成したカ
ム部によって、直接にスイッチを押すようにして、表示ユニットの回動角度を検出するよ
うにしたのでは、スイッチの位置などに制約が生じ、設計の自由度が低い。また、回転角
センサや、マグネットやホール素子を用いた非接触式のセンサによって、表示ユニットの
回動角度を検出するようにしたのでは、それらのセンサが高価であるため、コストアップ
になる。また、表示ユニットの表面、本体ユニットの表面、又はヒンジカバーの表面に、
突起を設けたり、スイッチを配置して、表示ユニットの回動角度を検出するようにしたの
では、美観を損ね、デザイン性が悪くなる。
【０００６】
表示ユニットの回動角度を検出する構成を備えた電子機器装置においては、（１）表示
ユニットの回動角度を検出する構成が低コストであること、（２）表示ユニットの回動角
度を検出する構成の設計の自由度が高いこと、及び（３）デザイン性が優れていること、
の３つの要素を兼ね備えることが要望されている。これら３つの要素を兼ね備えた電子機
器装置は、実現されていない。さらに、これら３つの要素に加え、表示ユニットの回動角
度を検出するための部材が破損しないことも重要である。
【０００７】
本発明は、上記課題を解決するためになされたものであり、表示ユニットの回動角度を
検出する構成を低コストで実現できると共に、表示ユニットの回動角度を検出する構成の
設計の自由度が高く、かつ、デザイン性に優れ、さらに、表示ユニットの回動角度を検出
するための部材が破損し難い電子機器装置を提供することを目的とする。
【課題を解決するための手段】
【０００８】
上記目的を達成するために請求項１の発明は、画像を表示するための表示ユニットがヒ
ンジユニットを介して本体ユニットに取付けられた電子機器装置において、ヒンジユニッ
トは、表示ユニットに結合される表示側結合部と、本体ユニットに結合される本体側結合
部と、表示側結合部と本体側結合部とを回動可能に連結したヒンジ機構部とを有し、ヒン
ジ機構部を覆うヒンジカバーと、表示ユニットの回動角度を検出するための検出スイッチ
と、検出スイッチを切り換えるための伝達レバーとを備え、検出スイッチ及び伝達レバー
は、表示ユニットの内部に設けられており、ヒンジカバーは、伝達レバーを駆動するため
のレバー駆動部を有し、レバー駆動部は、表示ユニットの内部に延伸されており、表示ユ
ニットは、本体ユニットに対して回動するとき、レバー駆動部に対して回動し、伝達レバ
ーは、表示ユニットが本体ユニットに対して回動するときに、表示ユニットと共にレバー
駆動部に対して回動し、このレバー駆動部に対する回動に伴って、レバー駆動部に押圧さ
れて駆動されて、検出スイッチを切り換え、伝達レバーがレバー駆動部に押圧されて駆動
されるとき、レバー駆動部が伝達レバーの表面上を摺動しながら伝達レバーを押圧するこ
とにより、伝達レバーがレバー駆動部に押圧されて駆動されるものである。
【０００９】
請求項２の発明は、請求項１に記載の電子機器装置において、伝達レバーは、表示ユニ
ットの回動中心軸に垂直な方向に移動可能に支持されていると共に、該伝達レバーの移動
可能な方向に垂直な被押圧面を有し、伝達レバーがレバー駆動部に押圧されて駆動される
とき、レバー駆動部が伝達レバーの被押圧面上のみを摺動しながら伝達レバーを押圧する
ことにより、伝達レバーがレバー駆動部に押圧されて駆動されるものである。
【００１０】
請求項３の発明は、請求項１又は請求項２に記載の電子機器装置において、本体ユニッ
トは、光ディスクから記録データを読取る光ディスク読取ユニットを備え、表示ユニット
は、光ディスク読取ユニットにより光ディスクから読取った記録データに基く画像を表示
するものである。
【発明の効果】
【００１１】
請求項１及び請求項２の発明によれば、表示ユニットが本体ユニットに対して回動する
と、伝達レバーがレバー駆動部により駆動されて、検出スイッチが切り換えられる。従っ
て、この検出スイッチの出力に基いて、表示ユニットの本体ユニットに対する回動角度を
検出することができる。しかも、ヒンジカバーを樹脂製にすることで、レバー駆動部を樹
脂によってヒンジカバーと一体的に容易に作製することができ、表示ユニットの回動角度
を検出する構成を低コストで実現できる。また、伝達レバーによって検出スイッチを切り
換えるようにしているため、伝達レバーの形状を変更することで、検出スイッチの位置な
どを自由に設計変更することができ、表示ユニットの回動角度を検出する構成の設計の自
由度が高い。また、検出スイッチ、伝達レバー、及びレバー駆動部が表示ユニットの内部
にあるため、デザイン性を優れたものにすることができる。
【００１２】
さらに、伝達レバーがレバー駆動部に押圧されて駆動されるとき、レバー駆動部が伝達
レバーの表面上を摺動しながら伝達レバーを押圧するため、不要な負荷（伝達レバーの駆
動方向に垂直な方向への負荷であって、伝達レバーの駆動に寄与しない負荷）が小さい。
従って、表示ユニットの回動角度を検出するための部材である伝達レバーやレバー駆動部
が破損し難い。
【００１３】
請求項３の発明によれば、光ディスクから読取った記録データに基く画像を表示する電
子機器装置において、請求項１又は請求項２と同様の効果が得られる。
【図面の簡単な説明】
【００１４】
【図１】（ａ）は本発明の一実施形態に係る光ディスク再生装置の概略構成を示す表示ユニットを開いた状態における内蓋を閉じた状態の斜視図、（ｂ）は同表示ユニットを開いた状態における内蓋を開いた状態の斜視図、（ｃ）は同表示ユニットを閉じた状態の斜視図。
【図２】同光ディスク再生装置の分解斜視図。
【図３】（ａ）は同光ディスク再生装置の表示ユニットの回動角度を検出する構成を示す、表示ユニットを開いた状態の表示ケースを一部破断した部分拡大した斜視図、（ｂ）は同表示ユニットを閉じた状態の表示ケースを一部破断した部分拡大した斜視図。
【図４】（ａ）は同光ディスク再生装置の表示ユニットの回動角度を検出する構成を示す、表示ユニットを開いた状態の部分拡大した断面図、（ｂ）（ｃ）（ｄ）は同表示ユニットを閉じるときに伝達レバーがレバー駆動部により駆動されているときの部分拡大した断面図、（ｅ）は同表示ユニットを閉じた状態の部分拡大した断面図。
【図５】（ａ）は表示ユニットの回動角度を検出する構成の比較例を示す、表示ユニットを開いた状態の部分拡大した断面図、（ｂ）（ｃ）（ｄ）は同表示ユニットを閉じるときに伝達レバーがレバー駆動部により駆動されているときの部分拡大した断面図、（ｅ）は同表示ユニットを閉じた状態の部分拡大した断面図。
【発明を実施するための形態】
【００１５】
以下、本発明を具体化した実施形態による電子機器装置について図面を参照して説明す
る。図１（ａ）（ｂ）（ｃ）、図２は、本実施形態による電子機器装置である光ディスク
再生装置の構成を示す。光ディスク再生装置１は、例えばＤＶＤやＢＤ等の光ディスク１
０から画像を再生する装置である。この光ディスク再生装置１は、携帯型のものである。
【００１６】
光ディスク再生装置１は、本体ユニット２と、表示ユニット３と、ヒンジユニット４と
、ヒンジカバー５とを備えており、表示ユニット３がヒンジユニット４を介して本体ユニ
ット２に取付けられ、表示ユニット３が本体ユニット２に対して回動可能になっている。
【００１７】
本体ユニット２は、光ディスク１０から記録データを読取る光ディスク読取ユニット２
１と、光ディスク読取ユニット２１を収納する本体ケース２２と、カバー２３と、内蓋２
４とを有する。本体ケース２２は、本体ケース２２の下側部分を占める下ケース２２ａと
、本体ケース２２の上側部分を占める上ケース２２ｂとを有しており、下ケース２２ａと
上ケース２２ｂが相互に結合されている。
【００１８】
光ディスク読取ユニット２１は、その一部（光ディスク１０を回転させるためのスピン
ドルモータ２１ａ、及び光ディスク１０から記録データを読取る光読取ヘッド２１ｂ等）
が、上ケース２２ｂに設けられた読取開口２２ｃに臨んでいる。読取開口２２ｃの上に、
光ディスク１０が装着されるようになっている。カバー２３は、上ケース２２ｂに設けら
れたヒンジ結合開口２２ｄ（図２参照）を塞ぐように、本体ケース２２の上ケース２２ｂ
に装着されている。内蓋２４は、光ディスク１０が装着される領域に対して開閉可能なよ
うに、本体ケース２２の上ケース２２ｂに回動自在に装着されている。
【００１９】
表示ユニット３は、画像を表示するためのものであり、画像を表示する液晶パネル３１
と、液晶パネル３１を駆動するための回路基板３２と、液晶パネル３１及び回路基板３２
を収納する表示ケース３３とを有する。
【００２０】
表示ケース３３は、表示ケース３３の前側部分を占める前ケース３３ａと、表示ケース
３３の後側部分を占める後ケース３３ｂとを有しており、前ケース３３ａと後ケース３３
ｂが相互に結合されている。液晶パネル３１は、前ケース３３ａに設けられた表示開口３
３ｃに臨んでいる。表示ユニット３は、本体ユニット２の光ディスク読取ユニット２１に
より光ディスクから読取った記録データに基く画像を表示する。
【００２１】
ヒンジユニット４は、図２に示すように、表示ユニット３に結合される表示側結合部４
１と、本体ユニット２に結合される本体側結合部４２と、表示側結合部４１と本体側結合
部４２とを相対的に回動可能に連結したヒンジ機構部４３とを有する。
【００２２】
このヒンジユニット４は、２軸スイーベルヒンジと呼ばれるヒンジユニットであり、ヒ
ンジ機構部４３は、表示側結合部４１と本体側結合部４２とを相対的に直交２軸に回動可
能に連結している。すなわち、表示側結合部４１は、本体側結合部４２に対して、第１の
回動中心軸Ｃ１の軸回り（第１の回動方向）に回動可能になっていると共に、第１の回動
中心軸Ｃ１に直交する第２の回動中心軸Ｃ２の軸回り（第２の回動方向）に回動可能にな
っている。
【００２３】
ヒンジカバー５は、樹脂製であり、ヒンジ機構部４３に取付けられている。ヒンジカバ
ー５は、表示側結合部４１が本体側結合部４２に対して第１の回動方向（第１の回動中心
軸Ｃ１の軸回り）に回動するときには、本体側結合部４２に対して回動せず、表示側結合
部４１が本体側結合部４２に対して第２の回動方向（第２の回動中心軸Ｃ２の軸回り）に
回動するときには、表示側結合部４１と共に本体側結合部４２に対して回動する。従って
、表示側結合部４１は、本体側結合部４２に対して第１の回動方向に回動するときには、
ヒンジカバー５に対しても回動し、本体側結合部４２に対して第２の回動方向に回動する
ときには、ヒンジカバー５に対しては回動しない。
【００２４】
表示側結合部４１は、第１の回動中心軸Ｃ１が表示ユニット３の下端縁と平行になるよ
うに、表示ユニット３の下端部の中央に結合されており、本体側結合部４２は、第２の回
動中心軸Ｃ２が本体ユニット２の上面と垂直になるように、本体ユニット２の後端部の中
央に結合されている。ヒンジカバー５は、本体ユニット２と表示ユニット３との間に位置
し、ヒンジ機構部４３の、表示ユニット３と本体ユニット２の両方の外部に位置する部分
を覆っている。
【００２５】
光ディスク再生装置１は、このようにヒンジユニット４の表示側結合部４１及び本体側
結合部４２が表示ユニット３及び本体ユニット２に結合されていることにより、表示ユニ
ット３が本体ユニット２に対して直交２軸に回動可能に構成されている。
【００２６】
すなわち、表示ユニット３は、本体ユニット２に対して、表示ユニット３の下端部を通
って表示ユニット３の下端縁と平行な第１の回動中心軸Ｃ１（ヒンジユニット４における
第１の回動中心軸Ｃ１）の軸回り（第１の回動方向）に回動可能になっていると共に、本
体ユニット２の後端部の中央を通って本体ユニット２の上面に垂直な第２の回動中心軸Ｃ
２（ヒンジユニット４における第２の回動中心軸Ｃ２）の軸回り（第２の回動方向）に回
動可能になっている。また、表示ユニット３は、本体ユニット２に対して第１の回動方向
に回動するときには、ヒンジカバー５に対しても回動し、本体ユニット２に対して第２の
回動方向に回動するときには、ヒンジカバー５に対しては回動しない。
【００２７】
表示ユニット３を第１の回動方向に回動させると、表示ユニット３が本体ユニット２に
対して起立、倒伏するように回動して、表示ユニット３の向きが上下方向に変化する。ま
た、表示ユニット３を第２の回動方向に回動させると、表示ユニット３が本体ユニット２
の上面と平行に回動して、表示ユニット３の向きが左右方向に変化する。
【００２８】
光ディスク再生装置１を使用するときには、例えば、表示ユニット３を開いた状態（表
示ユニット３を本体ユニット２に対して起立させた状態（図１（ａ）（ｂ）参照）、又は
、表示ユニット３の背面（画像表示面と反対側の面）が本体ユニット２の上面に合わさる
ように、表示ユニット３を本体ユニット２に対して倒伏させた状態）にされる。また、光
ディスク再生装置１を携帯して持ち運ぶときには、例えば、表示ユニット３を閉じた状態
（表示ユニット３の正面（画像表示面）が本体ユニット２の上面に合わさるように、表示
ユニット３を本体ユニット２に対して倒伏させた状態（図１（ｃ）参照））にされる。ま
た、光ディスク再生装置１は、不図示の外部装置を接続して使用（光ディスク再生装置１
により光ディスクから読取った記録データに基く画像を外部装置のディスプレイに表示）
することができるようになっており、外部装置を接続して使用する場合には、例えば、表
示ユニット３を閉じた状態にされる。
【００２９】
また、表示ユニット３は、図２に示すように、表示ユニット３の本体ユニット２に対す
る回動角度を検出するための検出スイッチ３４と、検出スイッチ３４を切り換えるための
伝達レバー３５とを有する。検出スイッチ３４及び伝達レバー３５は、表示ユニット３の
内部（表示ケース３３の内部）に設けられている。
【００３０】
また、ヒンジカバー５は、図２に示すように、伝達レバー３５を駆動するためのレバー
駆動部５１を有する。レバー駆動部５１は、表示ユニット３の外部（表示ケース３３の外
部）から第１の回動中心軸Ｃ１と平行な方向に沿って表示ユニット３の内部（表示ケース
３３の内部）に延伸されており、表示ユニット３の内部に位置している。レバー駆動部５
１は、樹脂製であり、ヒンジカバー５と一体的に形成されている。
【００３１】
光ディスク再生装置１は、これら検出スイッチ３４、伝達レバー３５、及びレバー駆動
部５１によって、表示ユニット３の回動角度を検出する構成になっている。検出スイッチ
３４、伝達レバー３５、及びレバー駆動部５１は、表示ユニット３の回動角度を検出する
ための部材である。
【００３２】
図３（ａ）（ｂ）、図４（ａ）（ｂ）（ｃ）（ｄ）（ｅ）は、上記検出スイッチ３４、
伝達レバー３５、及びレバー駆動部５１による表示ユニット３の回動角度を検出する構成
を示す。
【００３３】
検出スイッチ３４は、回路基板３２に実装されている。この検出スイッチ３４は、押し
ボタン３４ａを有する押しボタンスイッチであり、押しボタン３４ａの変位によって、検
出スイッチ３４の状態が第１の状態（オフの状態）と第２の状態（オンの状態）とに切り
換えられるようになっている。すなわち、検出スイッチ３４は、押しボタン３４ａが押込
まれていないときには、第１の状態にあり、そして、押しボタン３４ａが押圧されると、
押しボタン３４ａが押込まれて、第２の状態になり、押しボタン３４の押圧が解除される
と、押しボタン３４ａが元の位置（押込まれる前の位置）に戻って、第１の状態に戻るよ
うになっている。また、検出スイッチ３４は、第１の状態にあるときに、第１の状態であ
ることを示す第１の信号を出力し、第２の状態にあるときに、第２の状態であることを示
す第２の信号を出力するようになっている。
【００３４】
伝達レバー３５は、前ケース３３ａ（表示ケース３３）の内面に設けられた支持体３６
によって、第１の回動中心軸Ｃ１に垂直な方向に移動可能に支持されている。また、伝達
レバー３５は、バネ３７により第１の回動中心軸Ｃ１に垂直な方向に付勢されており、こ
の付勢された状態でレバー駆動部５１に当接されている。バネ３７は、前ケース３３ａの
内面に設けられたバネ保持部３８に保持されており、一端側が前ケース３３ａの内面に設
けられたバネ止め体３９に係止されていると共に、他端側が伝達レバー３５に形成された
バネ止め溝３５ａに係止されていることにより、伝達レバー３５を第１の回動中心軸Ｃ１
に垂直な方向に付勢している。
【００３５】
レバー駆動部５１は、伝達レバー３５を押圧する押圧突部５１ａを有している。押圧突
部５１ａは、レバー駆動部５１における他の部分よりも、第１の回動中心軸Ｃ１に垂直な
方向に突出している。
【００３６】
上述のように、表示ユニット３は、本体ユニット２に対して第１の回動方向（第１の回
動中心軸Ｃ１の軸回り）に回動するときには、ヒンジカバー５に対しても回動するように
なっている。すなわち、表示ユニット３は、本体ユニット２に対して第１の回動方向に回
動するとき、ヒンジカバー５の一部であるレバー駆動部５１に対しても回動する。従って
、表示ユニット３が本体ユニット２に対して第１の回動方向に回動すると、伝達レバー３
５が表示ユニット３と共にレバー駆動部５１に対して回動し、伝達レバー３５のレバー駆
動部５１への当接点が変化する。
【００３７】
レバー駆動部５１の押圧突部５１ａは、表示ユニット３が開いた状態のとき（図３（ａ
）、図４（ａ）参照）に、伝達レバー３５が当接せず、表示ユニット３が閉じた状態のと
き（図３（ｂ）、図４（ｅ）参照）に、伝達レバー３５が当接するように、その形状が設
計されている。
【００３８】
また、伝達レバー３５は、レバー駆動部５１の押圧突部５１ａに当接していないとき（
表示ユニット３が開いた状態のとき）には、検出スイッチ３４の押しボタン３４ａを押圧
せず、レバー駆動部５１の押圧突部５１ａに当接しているとき（表示ユニット３が閉じた
状態のとき）には、検出スイッチ３４の押しボタン３４ａを押圧するように、その形状が
設計されている。
【００３９】
従って、伝達レバー３５は、表示ユニット３が本体ユニット２に対して第１の回動方向
（第１の回動中心軸Ｃ１の軸回り）に回動するときに、表示ユニット３と共にレバー駆動
部５１に対して回動し、このレバー駆動部５１に対する回動に伴って、レバー駆動部５１
又はバネ３７に押圧されて駆動されて（図４（ｂ）（ｃ）（ｄ）参照）、検出スイッチ３
４を第１の状態と第２の状態とに切り換える。
【００４０】
すなわち、伝達レバー３５は、表示ユニット３が開いた状態から閉じた状態に回動され
るときに、レバー駆動部５１の押圧突部５１ａに押圧されて駆動（レバー駆動部５１から
遠ざかる方向に移動）されて、検出スイッチ３４の押しボタン３４ａを押圧する位置にな
り、検出スイッチ３４を第１の状態から第２の状態に切り換える。また、伝達レバー３５
は、表示ユニット３が閉じた状態から開いた状態に回動されるときに、バネ３７に押圧さ
れて駆動（レバー駆動部５１に近づく方向に移動）されて、検出スイッチ３４の押しボタ
ン３４ａを押圧しない位置になり、検出スイッチ３４を第２の状態から第１の状態に切り
換える。
【００４１】
また、本発明の光ディスク再生装置１では、伝達レバー３５がレバー駆動部５１の押圧
突部５１ａに押圧されて駆動されるとき、レバー駆動部５１の押圧突部５１ａが伝達レバ
ー３５の表面上を移動するように摺動しながら伝達レバー３５を押圧することにより、伝
達レバー３５がレバー駆動部５１の押圧突部５１ａに押圧されて駆動される構成になって
いる。
【００４２】
具体的には、伝達レバー３５は、伝達レバー３５の移動可能な方向（第１の回動中心軸
Ｃ１に垂直な方向）に垂直な被押圧面３５ｂを有しており、レバー駆動部５１の押圧突部
５１ａが伝達レバー３５の被押圧面３５ｂ上のみを移動するように摺動しながら伝達レバ
ー３５の被押圧面３５ｂを押圧することにより、伝達レバー３５がレバー駆動部５１の押
圧突部５１ａに押圧されて駆動される構成になっている。伝達レバー３５の被押圧面３５
ｂは、伝達レバー３５の端面（レバー駆動部５１に対向する端面）である。
【００４３】
すなわち、伝達レバー３５及びレバー駆動部５１は、表示ユニット３を閉じるように回
動させていって、伝達レバー３５がレバー駆動部５１の押圧突部５１ａに押圧開始されて
駆動開始されるとき（図４（ｂ）参照）に、伝達レバー３５の被押圧面３５ｂがレバー駆
動部５１の押圧突部５１ａに当接して、レバー駆動部５１の押圧突部５１ａが伝達レバー
３５の被押圧面３５ｂを押圧するように、その形状が設計されている。また、伝達レバー
３５及びレバー駆動部５１は、表示ユニット３をさらに回動させていって、伝達レバー３
５がレバー駆動部５１の押圧突部５１ａに押圧されて駆動されているとき（図４（ｃ）（
ｄ）参照）に、レバー駆動部５１の押圧突部５１ａが伝達レバー３５の被押圧面３５ｂ上
を移動するように摺動しながら被押圧面３５ｂを押圧するように、その形状が設計されて
いる。
【００４４】
本発明の光ディスク再生装置１によれば、表示ユニット３が本体ユニット２に対して第
１の回動方向（第１の回動中心軸Ｃ１の軸回り）に回動すると、伝達レバー３５がレバー
駆動部５１により駆動されて、検出スイッチ３４が切り換えられる。従って、検出スイッ
チ３４の出力に基いて、表示ユニット３の本体ユニット２に対する第１の回動方向（第１
の回動中心軸Ｃ１の軸回り）の回動角度を検出することができる。
【００４５】
しかも、ヒンジカバー５及びレバー駆動部５１が樹脂製であるため、レバー駆動部５１
を樹脂によってヒンジカバー５と一体的に容易に作製することができ、表示ユニット３の
回動角度を検出する構成を低コストで実現できる。また、伝達レバー３５によって検出ス
イッチ３４を切り換えるようにしているため、伝達レバー３５の形状を変更することで、
検出スイッチ３４の位置などを自由に設計変更することができ、表示ユニット３の回動角
度を検出する構成の設計の自由度が高い。さらに、検出スイッチ３４、伝達レバー３５、
及びレバー駆動部５１が表示ユニット３の内部（表示ケース３３の内部）にあるため、デ
ザイン性を優れたものにすることができる。
【００４６】
さらに、本発明の光ディスク再生装置１によれば、伝達レバー３５がレバー駆動部５１
の押圧突部５１ａに押圧されて駆動されるとき、レバー駆動部５１の押圧突部５１ａが伝
達レバー３５の表面上（被押圧面３５ｂ上）のみを移動するように摺動する構成になって
いるため、表示ユニット３の回動角度を検出するための部材である伝達レバー３５やレバ
ー駆動部５１が破損し難い。
【００４７】
例えば、上記の点について、図５（ａ）（ｂ）（ｃ）（ｄ）（ｅ）に示される、本発明
の光ディスク再生装置１と異なる構成の光ディスク再生装置を例に挙げて説明する。図５
（ａ）（ｂ）（ｃ）（ｄ）（ｅ）に示す構成は、伝達レバー９１がレバー駆動部９２の押
圧突部９２ａに押圧されて駆動されるとき、伝達レバー９１がレバー駆動部９２の押圧突
部９２ａの表面上を移動するように摺動する構成である。
【００４８】
すなわち、図５（ａ）（ｂ）（ｃ）（ｄ）（ｅ）に示す構成では、表示ユニット３を開
いた状態のとき（図５（ａ）参照）は、本発明の光ディスク再生装置１と同様であり、表
示ユニット３を閉じるように回動させていって、伝達レバー９１がレバー駆動部９２の押
圧突部９２ａに押圧開始されて駆動開始されるとき（図５（ｂ）参照）に、伝達レバー９
１の端面９１ａ（レバー駆動部９２に対向する端面）はレバー駆動部９２の押圧突部９２
ａに当接せず、伝達レバー９１の端縁９１ｂがレバー駆動部９２の押圧突部９２ａの表面
に当接して、レバー駆動部９２の押圧突部９２ａが伝達レバー９１の端縁９１ｂを押圧す
るようになっている。また、表示ユニット３をさらに回動させていって、伝達レバー９１
がレバー駆動部９２の押圧突部９２ａに押圧されて駆動されているとき（図５（ｃ）（ｄ
）参照）に、伝達レバー９１の端縁９１ｂがレバー駆動部９２の押圧突部９２ａの表面上
を移動するように摺動しながら、レバー駆動部９２の押圧突部９２ａが伝達レバー９１の
端縁９１ｂを押圧するようになっている。表示ユニット３を閉じた状態のとき（図５（ｅ
）参照）は、本発明の光ディスク再生装置１と同様である。
【００４９】
このような構成では、伝達レバー９１がレバー駆動部９２の押圧突部９２ａに押圧され
て駆動されているとき、不要な負荷（伝達レバー９１の駆動方向（移動方向）に垂直な方
向への負荷であって、伝達レバー９１の駆動に寄与しない負荷）が大きく、伝達レバー９
１やレバー駆動部９２が破損する虞がある。
【００５０】
これに対し、本発明の光ディスク再生装置１では、上述のように、伝達レバー３５がレ
バー駆動部５１の押圧突部５１ａに押圧されて駆動されているとき、レバー駆動部５１の
押圧突部５１ａが伝達レバー３５の表面上（被押圧面３５ｂ上）のみを移動するように摺
動しながら伝達レバー３５を押圧するようになっている。このため、本発明の光ディスク
再生装置１では、伝達レバー３５がレバー駆動部５１の押圧突部５１ａに押圧されて駆動
されているとき、不要な負荷（伝達レバー３５の駆動方向（移動方向）に垂直な方向への
負荷であって、伝達レバー３５の駆動に寄与しない負荷）が小さい。従って、本発明の光
ディスク再生装置１によれば、伝達レバー３５やレバー駆動部５１が破損し難い。
【００５１】
なお、本発明は、上記実施形態の構成に限られず、種々の変形が可能である。例えば、
伝達レバーは、表示ユニットを開くときに、レバー駆動部に押圧されて駆動されるように
なっていてもよい。また、伝達レバーは、表示ユニットの回動中心軸に垂直な方向以外の
方向（例えば、回動中心軸に平行な方向）に移動可能に支持されていてもよい。また、本
発明は、光ディスク再生装置に限られず、他の電子機器装置にも適用可能である。
【符号の説明】
【００５２】
１    光ディスク再生装置（電子機器装置）
２    本体ユニット
３    表示ユニット
４    ヒンジユニット
５    ヒンジカバー
１０    光ディスク
２１    光ディスク読取ユニット
２１ａ    スピンドルモータ
２１ｂ    光読取ヘッド
２２    本体ケース
２２ａ    下ケース
２２ｂ    上ケース
２２ｃ    読取開口
２２ｄ    ヒンジ結合開口
２３    カバー
２４    内蓋
３１    液晶パネル
３２    回路基板
３３    表示ケース
３３ａ    前ケース
３３ｂ    後ケース
３３ｃ    表示開口
３４    検出スイッチ
３４ａ    押しボタン
３５    伝達レバー
３５ａ    バネ止め溝
３５ｂ    被押圧面
３６    支持体
３７    バネ
３８    バネ保持部
３９    バネ止め体
４１    表示側結合部
４２    本体側結合部
４３    ヒンジ機構部
５１    レバー駆動部
５１ａ    押圧突部
【図１】
2012003791.tif 000003
【図２】
2012003791.tif 000004
【図３】
2012003791.tif 000005
【図４】
2012003791.tif 000006
【図５】
2012003791.tif 000007